(57)【特許請求の範囲】
【請求項１】
１つ以上のプロセッサにより、第１の種類の無線アクセスネットワークと第２の異なる種類の無線アクセスネットワークとの間で使用される所定の緊急呼のセッションに関する情報を格納するステップと、
前記１つ以上のプロセッサにより、移動局がパケット交換の緊急呼に関与していることを検出するステップであり、前記移動局は、初めに前記第１の種類の無線アクセスネットワークに属するステップと、
前記１つ以上のプロセッサにより、前記第１の種類の無線アクセスネットワークから前記第２の種類の無線アクセスネットワークへの前記移動局の移行を検出するステップと、
前記移動局の移行の検出に応じて、前記１つ以上のプロセッサが、前記第１の種類の無線アクセスネットワークから前記第２の種類の無線アクセスネットワークへの前記移動局の移行を示すメッセージを送信し、前記パケット交換の緊急呼を前記移行後に前記第２の種類の無線アクセスネットワークで実行させるようにするステップと、
前記第２の種類の無線アクセスネットワークへの前記移動局のハンドオフの後に、前記所定の緊急呼のセッションの情報を使用して、前記第２の種類の無線アクセスネットワークとの前記パケット交換の緊急呼のコンテキストのネゴシエーションを行う必要を回避するステップと、
を有する方法。
【請求項２】
前記移動局が初めに前記第１の種類の無線アクセスネットワークに属するときに、前記移動局を前記第２の種類の無線アクセスネットワークに事前登録するステップを更に有する、請求項１に記載の方法。
【請求項３】
前記移動局を事前登録するステップは、前記移動局と前記第２の種類の無線アクセスネットワークとの間にセッションを確立することを含む、請求項２に記載の方法。
【請求項４】
前記第１の種類の無線アクセスネットワークから前記第２の種類の無線アクセスネットワークに移行した後に、前記移動局は前記第２の種類の無線アクセスネットワークに既に事前登録されているため、前記移動局は、前記パケット交換の緊急呼を実行するために前記第２の種類の無線アクセスネットワークとの登録手順を実行する必要がない、請求項２に記載の方法。
【請求項５】
前記ハンドオフの一部として、前記第２の種類の無線アクセスネットワークに送信される１つ以上のメッセージに緊急の指示を含めるステップを更に有する、請求項１に記載の方法。
【請求項６】
移動局とターゲット無線アクセスネットワークとの間のパケット交換の緊急呼のセッションに関する情報を格納し、
ソース無線アクセスネットワークから前記ターゲット無線アクセスネットワークへの前記移動局の移行を可能にするメッセージを通信し、ただし、前記ソース及びターゲット無線アクセスネットワークは異なる種類のネットワークであり、
前記移行の後に、前記格納された情報を使用して、前記ターゲット無線アクセスネットワークで前記パケット交換の緊急呼を確立し、前記ターゲット無線アクセスネットワークとの前記パケット交換の緊急呼のコンテキストのネゴシエーションを行う必要を回避する
ように構成された１つ以上のプロセッサを有する通信ノード。
【請求項７】
前記移動局が前記ソース無線アクセスネットワークに属する間に、前記情報は、前記移動局を前記ターゲット無線アクセスネットワークに事前登録したことに応じて格納される、請求項６に記載の通信ノード。
【請求項８】
前記格納された情報は、所定の緊急呼のセッションに関する、請求項６に記載の通信ノード。
【請求項９】
前記メッセージは、前記移動局と前記ソース無線アクセスネットワークとの間のリンクを通じてトンネリングされた前記ターゲット無線アクセスネットワークの標準に従ったメッセージを有する、請求項６に記載の通信ノード。
【請求項１０】
実行されたときに、１つ以上のプロセッサにより、
第１の種類の無線アクセスネットワークと第２の異なる種類の無線アクセスネットワークとの間で使用される所定の緊急呼のセッションに関する情報を格納し、
移動局がパケット交換の緊急呼に関与していることを検出し、ただし、前記移動局は、初めに前記第１の種類の無線アクセスネットワークに属しており、
前記第１の種類の無線アクセスネットワークから前記第２の種類の無線アクセスネットワークへの前記移動局の移行を検出し、
前記移動局の移行の検出に応じて、前記第１の種類の無線アクセスネットワークから前記第２の種類の無線アクセスネットワークへの前記移動局の移行を示すメッセージを送信し、前記パケット交換の緊急呼を前記移行後に前記第２の種類の無線アクセスネットワークで実行させるようにし、
前記第２の種類の無線アクセスネットワークへの前記移動局のハンドオフの後に、前記所定の緊急呼のセッションの情報を使用して、前記第２の種類の無線アクセスネットワークとの前記パケット交換の緊急呼のコンテキストのネゴシエーションを行う必要を回避する
命令を格納した少なくとも１つのコンピュータ読取可能記憶媒体を有する物。
【請求項１１】
前記命令は、実行されたときに、前記１つ以上のプロセッサに対して、
前記移動局が前記第１の種類の無線アクセスネットワークに属するときに、前記第２の種類の無線アクセスネットワークとのセッションを事前登録することを更に実行させる、請求項１０に記載の物。
【請求項１２】
移動局と無線アクセスネットワークとの間で使用される所定の緊急呼のセッションに関する情報を格納するステップと、
１つ以上のプロセッサにより、前記所定の緊急呼のセッションに関する前記格納された情報を使用して、パケット交換の緊急呼を確立し、前記無線アクセスネットワークとの前記パケット交換の緊急呼のコンテキストのネゴシエーションを行う必要を回避するステップと、
を有する方法。
【請求項１３】
移動局と無線アクセスネットワークとの間で使用される所定の緊急呼のセッションに関する情報を格納するコンピュータ読取可能記憶媒体と、
前記所定の緊急呼のセッションに関する前記格納された情報を使用して、パケット交換の緊急呼を確立し、前記無線アクセスネットワークとの前記パケット交換の緊急呼のコンテキストのネゴシエーションを行う必要を回避するように構成された１つ以上のプロセッサと、
を有する通信ノード。
【発明の詳細な説明】
【背景技術】
【０００１】
移動局が他の移動局又は有線ネットワークに結合された無線端末との通信を実行することを可能にするために、様々な無線アクセス技術が提案又は実装されている。無線アクセス技術の例は、3GPP（Third  Generation  Partnership  Project）により規定されたGSM（Global  System  for  Mobile  communications）及びUMTS（Universal  Mobile  Telecommunications  System）技術と、3GPP2により規定されたCDMA2000（Code  Division  Multiple  Access  2000）技術とを含む。CDMA2000は、HRPD（High  Rate  Packet  Data）無線アクセスネットワークと呼ばれる一種のパケット交換無線アクセスネットワークを規定する。
【０００２】
パケット交換無線アクセスネットワークを提供する他の最近の標準は、3GPPからのLTE（Long  Term  Evolution）標準であり、LTE標準はUMTS技術を拡張することを目的とする。LTE標準はまた、EUTRA（Evolved  Universal  Terrestrial  Radio  Access）標準とも呼ばれる。
【発明の概要】
【課題を解決するための手段】
【０００３】
概して、実施例によれば、方法は、移動局がパケット交換の緊急呼に関与していることを検出することを有する。移動局は、初めに第１の種類の無線アクセスネットワークに属する。移動局の移行を検出すると、第１の種類の無線アクセスネットワークから第２の種類の無線アクセスネットワークへの移動局の移行を示すメッセージが送信され、パケット交換の緊急呼を第２の種類の無線アクセスネットワークで実行させる。
【図面の簡単な説明】
【０００４】
【図１】或る実施例に従って異なる種類の無線アクセスネットワークの間で移動局のパケット交換の緊急呼を移行する機構と、異なる種類のアクセスネットワークとを含む例示的な構成のブロック図
【図２】或る実施例に従ってパケット交換の緊急呼のセッションに関与する移動局のハンドオフを実行する処理のメッセージフローチャート
【図３】或る実施例に従ってパケット交換の緊急呼のセッションに関与する移動局のハンドオフを実行する処理のメッセージフローチャート
【図４】或る実施例に従ってパケット交換の緊急呼のセッションに関与する移動局のハンドオフを実行する処理のメッセージフローチャート
【図５】或る実施例に従ってパケット交換の緊急呼のセッションに関与する移動局のハンドオフを実行する処理のメッセージフローチャート
【図６】或る実施例に従った移動局及び基地局／ゲートウェイの例示的な構成要素のブロック図
【発明を実施するための形態】
【０００５】
他の特徴は、以下の詳細な説明、図面及び特許請求の範囲から明らかになる。
【０００６】
本発明の或る実施例について、添付図面を参照して説明する。
【０００７】
マルチモード移動局は、様々な異なる種類の無線アクセスネットワークで通信することができる。例えば、マルチモード移動局は、（3GPPにより規定された）LTE（Long-Term  Evolution）無線アクセスネットワーク又は（3GPP2  CDMA2000標準により規定された）HRPD（High  Rate  Packet  Data）無線アクセスネットワークに属することができる。LTEはまた、EUTRA（Evolved  Universal  Terrestrial  Radio  Access）とも呼ばれる。この説明ではEUTRA及びHRPD無線アクセス技術に言及が行われるが、或る好ましい実施例では、他の好ましい実施例は、他の種類の無線アクセス技術を使用可能である点に留意すべきである。例えば、他の種類の無線アクセス技術は、（IEEE（Institute  of  Electrical  and  Electronic  Engineers）802.16標準により規定された）WiMax（Worldwide  Interoperability  for  Microwave  Access）技術、（3GPPにより規定された）GSM（Global  System  for  Mobile  Communications）等を含む。
【０００８】
マルチモード移動局が異なる種類の無線アクセスネットワークの間の境界に到達すると、移動局を第１の種類の無線アクセスネットワークから第２の種類の無線アクセスネットワークに（EUTRA無線アクセスネットワークからHRPD無線アクセスネットワークに）ハンドオフ（ハンドオーバ）するかの判定が行われ得る。以下の説明では、“ハンドオフ”及び“ハンドオーバ”は、区別なく用いられる点に留意すべきである。
【０００９】
マルチモード移動局は、異なる種類の無線アクセスネットワークの間のハンドオフ中にパケット交換の緊急呼に関与してもよい。“緊急呼（emergency  call）”は、緊急音声呼、非音声の緊急呼、又は緊急支援の通知のための他の要求（非常ボタンの起動に応じた要求、ユーザ要求（単なるダイヤル911等）に応じて緊急隊員に送信される通知（この通知は、緊急隊員がユーザからの相互作用なしに支援を提供するのに十分な情報（例えば、名前、位置等）を含む）、及び他の緊急通知等）を示してもよい。“パケット交換（packet-switched）”の緊急呼は、パケット交換ネットワーク（有線及び／又は無線）で確立された緊急呼を示してもよい。移動局が(1)緊急呼においてアクティブである場合、又は(2)移動局が緊急呼を確立しようとしている場合若しくは緊急呼が行われることを要求している場合、移動局はパケット交換の緊急呼に“関与（involved）”している。パケット交換の緊急呼は、緊急サービス団体（強化した911又はE911の呼等）へのパケット交換ネットワークで行われる呼セッションを示してもよい。典型的には、緊急呼は、緊急連絡先（米国では911等）に向けられる。
【００１０】
移動局がパケット交換の緊急呼に関与している場合、発呼者が緊急隊員につなげようとする際に貴重な時間を浪費しないように、異なる種類の無線アクセスネットワークの間のハンドオフは、できるだけ迅速に実行されることが望ましい。通常では、緊急呼のハンドオフは、登録手順がターゲット（ハンドオフ先）無線アクセスネットワークで実行されることを必要とし得る。これは、時間がかかる可能性がある。
【００１１】
或る好ましい実施例によれば、異なる種類のソース（ハンドオフ元）及びターゲット無線アクセスネットワークの間で移動局をハンドオフする際の遅延量を低減するために、ターゲット無線アクセスネットワークでの移動局の事前登録が実行されてもよい。このような事前登録により、移動局は、ハンドオーバ中に時間がかかる登録を実行する必要なく、ターゲット無線アクセスネットワークでトラヒックチャネルを迅速に取得することが可能になる。或いは、事前登録を実行する代わりに、所定の緊急呼のセッションが代わりに使用されてもよい。緊急呼のセッションのコンテキスト（context）（登録を含む）は、移動局とターゲット無線アクセスネットワークとの双方に既に知られており、このため、このようなコンテキストの確立がパケット交換の緊急呼のハンドオーバ中に回避され得る。
【００１２】
概して、或る好ましい実施例によれば、緊急呼に関与している移動局をハンドオフする手順は、移動局がソース無線アクセスネットワークからターゲット無線アクセスネットワークにハンドオフされることを検出することを含む。ソース及びターゲット無線アクセスネットワークは異なる種類である（例えば、ソース無線アクセスネットワークはEUTRAネットワークであり、ターゲット無線アクセスネットワークはHRPDアクセスネットワークである）。移動局がハンドオフされることを検出したことに応じて、ソース無線アクセスネットワークからターゲット無線アクセスネットワークへの移動局のハンドオフを示すメッセージが送信され、パケット交換の緊急呼をターゲット無線アクセスネットワークで実行させる。
【００１３】
より一般的には、パケット交換の緊急呼に関与している移動局は、ハンドオフが実行されなくても、ソース及びターゲット無線アクセスネットワークの間で移行されてもよい。例えば、移動局は、初めにソース無線アクセスネットワークに属してもよい。しかし、移動局は、ソース無線アクセスネットワークとのリンクが失われた領域（例えば、トンネル）に入る可能性がある。移動局がその領域を出ると、移動局は、ターゲット無線アクセスネットワークに再び属してもよい。このシナリオでは、ハンドオフは実行されない。しかし、或る実施例によれば、緊急呼は、依然としてソース無線アクセスネットワークからターゲット無線アクセスネットワークに移行されてもよい。従って、ソース無線アクセスネットワークからターゲット無線アクセスネットワークに“移行（transition）”している移動局は、ソース無線アクセスネットワークからターゲット無線アクセスネットワークにハンドオフされている移動局を示してもよく、或いは、（明示的なハンドオフなしに）ソース無線アクセスネットワークからターゲット無線アクセスネットワークに移動している移動局を示してもよい。
【００１４】
ソース無線アクセスネットワークからターゲット無線アクセスネットワークに移動局をハンドオフすることに関して実施例を説明するが、説明する技術は、移動局がソース無線アクセスネットワークからターゲット無線アクセスネットワークへの他の種類の移行を実行する場合にも適用可能である点に留意すべきである。
【００１５】
図１は、ソース無線アクセスネットワーク100（例えば、EUTRAネットワーク）と、ターゲット無線アクセスネットワーク102（例えば、HRPDアクセスネットワーク）とを有する例示的な構成を示している。ソース及びターゲット無線アクセスネットワークは、異なる種類である。図１の例では、マルチモード移動局104がソース無線アクセスネットワーク100からターゲット無線アクセスネットワーク102にハンドオフされること（点線の矢印106で示す）を仮定する。
【００１６】
ここで使用されるEUTRA無線アクセスネットワークへの言及は、3GPPにより作られ、標準が現時点で存在する通りに又は標準が時間と共に進展する通りにEUTRA標準の要件に従う無線アクセスネットワークを示す。EUTRAは、現在のEUTRA標準を示してもよく、時間と共に行われるEUTRA標準の変更を示してもよい点に留意すべきである。将来、EUTRAから進展した標準が他の名前で呼ばれることが想定される。従って、ここで使用される“EUTRA”という用語は、このような将来の標準も同様にカバーすることを意図することが考えられる。同様に、HRPDのような他の標準への言及も、現在の無線アクセス標準又は将来作られる標準を示すことを意図する。
【００１７】
ソース無線アクセスネットワーク100では、基地局108は、移動局104と無線通信を実行するように提供される。EUTRAの場合、基地局108はeNode  B（enhanced  node  B）と呼ばれる。ターゲットアクセスネットワーク102もまた基地局110を含む。基地局110は、例えばHRPD標準に従う。基地局108又は110は、以下のタスク：無線リソース管理、移動局のモビリティを管理するモビリティ管理、トラヒックのルーティング等のうち１つ以上を実行することができる。より一般的には、“基地局”という用語は、セルラネットワーク基地局、いずれかの種類の無線ネットワークで使用されるアクセスポイント、又は移動局と通信するいずれかの種類の無線送信機を示してもよい。“基地局”という用語はまた、基地局コントローラ又は無線ネットワークコントローラのような関連するコントローラを含んでもよい。“基地局”という用語はまた、フェムト基地局若しくはアクセスポイント、マクロ基地局若しくはアクセスポイント、又はピコ基地局若しくはアクセスポイントを示すことも考えられる。“移動局”は、電話ハンドセット、ポータブルコンピュータ、パーソナルデジタルアシスタント（PDA）、又は埋め込み式装置（健康管理モニタ、開始アラーム等）を示してもよい。
【００１８】
EUTRAの場合、ソース無線アクセスネットワーク100の基地局108は、サービング及び／又はパケットデータネットワーク又はゲートウェイ112に接続されている。サービング及び／又はパケットデータネットワーク又はゲートウェイ112は、eNode  Bへのユーザプレーンインタフェースを終端し、外部ネットワーク114へのパケットルーティング及び転送の役目を負う。ターゲットアクセスネットワーク102の基地局110も同様に、サービング及び／又はパケットデータネットワーク又はゲートウェイ116に接続されている。HRPDの場合、サービング及び／又はパケットデータネットワーク又はゲートウェイ116は、パケットデータサービングノード（PDSN：packet  data  serving  node）と呼ばれる。
【００１９】
外部ネットワーク114は、パケット交換ネットワーク（例えば、インターネット）及び／又は回線交換ネットワーク（PSTN（public  switched  telephone  network）等）を含んでもよい。緊急団体118は、外部ネットワーク114に接続されており、緊急団体118は、911コールセンタ、警察、消防署等でもよい。
【００２０】
図２は、本発明の実施例に従った処理のメッセージフローチャートである。移動局は、初めにソース無線アクセスネットワーク100に属することを仮定する（202）。換言すると、移動局は、ソース無線アクセスネットワーク100との接続状態である。或る実施例によれば、移動局104はまた、ターゲットアクセスネットワーク102に事前登録される（202）。このシナリオでは、移動局がソース無線アクセスネットワーク100kに在圏（キャンプ）している間に、移動局104は、ターゲット無線アクセスネットワーク102に事前登録を実行することができる。事前登録は、セッションの設定、バインディングの実行、及び移動局104がターゲットアクセスネットワークとアクティブなトラヒックセッションを確立するために必要な他の手順を示す。しかし、移動局がターゲット無線アクセスネットワークに事前登録されていたとしても、移動局104は、ソース無線アクセスネットワークに属する間に、ターゲット無線アクセスネットワークとトラヒックを通信しない。
【００２１】
事前登録により、移動局104及びターゲット無線アクセスネットワーク102は、トラヒックチャネルが移動局104に迅速に割り当てられるように、セッションについての十分な情報（移動局104及びターゲット無線アクセスネットワーク102に格納される）を有し、ターゲット無線アクセスネットワーク104への緊急呼の切り替えを指示することが可能になる。
【００２２】
図２はまた、移動局がソース無線アクセスネットワーク100でパケット交換の緊急呼において現在アクティブであることを示している。これは、現在移動局104が緊急団体118との音声通話（音声呼）中であることを意味する。
【００２３】
パケット交換の緊急呼が進行中である間に、移動局は、移動局104とソース及びターゲット無線アクセスネットワーク100及び102のそれぞれとの間の無線リンクに関して、無線チャネル状態に関する測定を行う。例えば、測定は、基地局により送信されたパイロットチャネルの測定でもよい。移動局がソース及びターゲット無線アクセスネットワークの間の境界に近づくと、ソース無線アクセスネットワーク100とのシグナリングが弱くなり、ターゲット無線アクセスネットワーク102とのシグナリングが強くなり得る。移動局は、測定をソース無線アクセスネットワーク100に送信する（206）。
【００２４】
受信した測定に基づいて、ソース無線アクセスネットワーク100は、ターゲット無線アクセスネットワーク102への移動局104のハンドオフを開始するためのハンドオーバ判定を行ってもよい（208）。ソース無線アクセスネットワーク100がハンドオフを実行する判定を行うと、ソース無線アクセスネットワーク100は、ハンドオーバコマンドを移動局104に送信する（210）。
【００２５】
ソース無線アクセスネットワーク100からのハンドオーバコマンドに応じて、移動局104は、ハンドオフが実行されることを示す１つ以上のメッセージを送信する（212）。ターゲット無線アクセスネットワーク102に関して移動局104により実行された事前登録の結果として、移動局104は、ターゲット無線アクセスネットワークへのハンドオフが生じたときに、ターゲット無線アクセスネットワーク102に接続するための十分な情報を有している。
【００２６】
移動局104により送信された１つ以上のメッセージは、ターゲット無線アクセスネットワーク102に対応する標準（例えば、HRPD標準）のフォーマットでもよい。例えば、１つ以上のメッセージは、潜在的なハンドオフターゲットを示すHRPDルート更新（HRPD  Route  Update）メッセージを含んでもよい。ハンドオフを実行するために移動局104により送信され得る他のメッセージは、ターゲット無線アクセスネットワーク102との接続を確立するためのHRPD接続要求（HRPD  Connection  Request）である。図２の例に示すように、ルート更新及び接続要求メッセージは、ソース無線アクセスネットワーク100を通じてターゲット無線アクセスネットワーク102に送信される。例えば、これらのメッセージは、ソース無線アクセスネットワーク100に対応する標準（例えば、EUTRA標準）に従って他のメッセージ内にカプセル化されてもよい。
【００２７】
ハンドオフができるだけ迅速に実行されることを確保するため、移動局104により送信される（212）１つ以上のメッセージに緊急の指示が提供されてもよい。例えば、緊急の指示は、接続要求メッセージの緊急インジケータとして提供されてもよい。或いは、ソース無線アクセスネットワーク100は、移動局104のハンドオフを実行するためにソース無線アクセスネットワーク100からターゲット無線アクセスネットワーク102に送信される相互接続メッセージの一部として、緊急の指示を提供してもよい。
【００２８】
或いは、緊急の指示は、ソース無線アクセスネットワーク100のフォーマット（例えば、EUTRAフォーマット）に従ってメッセージのヘッダに含まれてもよい。この場合、ソース無線アクセスネットワーク102は、緊急の指示を、ソース無線アクセスネットワーク100からターゲット無線アクセスネットワーク102に転送されるメッセージに追加する。
【００２９】
212で送信された１つ以上のメッセージを受信したことに応じて、ソース無線アクセスネットワーク102は、（ソース無線アクセスネットワーク100を通じて）様々な応答メッセージを移動局104に送信する（214）。送信されるメッセージは、１つ以上のトラヒックチャネルを移動局104に割り当てるためのHRPDに従ったTCA（Traffic  Channel  Assignment）メッセージを含んでもよい。他のメッセージもまた、ターゲット無線アクセスネットワーク102からソース無線アクセスネットワーク100を通じて移動局104に送信される応答に含まれる。
【００３０】
212及び214でのメッセージの交換は、ソース無線アクセスネットワーク100と移動局104との間のリンクでの、ターゲット無線アクセスネットワーク100に関連する第１のフォーマットのメッセージ（例えば、HRPDメッセージ）のトンネリングを事実上含む。例えば、HRPDメッセージは、ソース無線アクセスネットワーク100と移動局104との間で送信されるEUTRAメッセージ内でトンネリング（カプセル化）される。
【００３１】
（214で送信された）応答メッセージの受信に応じて、移動局104は、受信したTCAメッセージに従ってターゲット無線アクセスネットワーク102への接続を開始する（216）。移動局104は、ターゲット無線アクセスネットワーク102への接続が成功した後に、HRPDトラヒックチャネル完了（HRPD  Traffic  Channel  Complete）メッセージを送信し、移動局104により受信されたTCAメッセージを承認する。
【００３２】
この時点で、移動局は、ターゲット無線アクセスネットワーク102と接続される（220）。緊急呼は、ソース無線アクセスネットワーク100を通じて実行された呼のパケットに基づく音声呼プロファイル（例えば、VoIP（voice-over-Internet  protocol））を使用して、移動局104とターゲット無線アクセスネットワーク102との間で再確立される（222）。
【００３３】
図２は、移動局104がソース無線アクセスネットワーク100に属する間に、移動局104が緊急呼において既にアクティブであることを仮定する。別法では、移動局が初めにソース無線アクセスネットワーク100に属する間に、移動局104はアイドルモードになってもよい（緊急呼にアクティブに関与していない）。このシナリオは図３に示されており、図３は、移動局がソース無線アクセスネットワーク100に属する間にアイドルモードになっていることを示している（302）。更に、図２の例と同様に、移動局104は、ターゲット無線アクセスネットワーク102に事前登録されている（302）。
【００３４】
アイドルモード中に、移動局104は、ソース無線アクセスネットワーク100とのパケット交換の緊急呼を要求する（304）。移動局104はまた、信号測定（例えば、パイロットチャネルの測定）をソース無線アクセスネットワーク100に送信する（306）。受信した測定に基づいて、ソース無線アクセスネットワーク100は、（移動局104により要求されている）緊急呼をターゲット無線アクセスネットワーク102にハンドオーバする判定を行ってもよい（308）。この緊急呼をハンドオーバする判定に基づいて、ソース無線アクセスネットワーク100は、移動局104に対してターゲット無線アクセスネットワーク102にハンドオーバを指示するメッセージを移動局104に送信する（310）。310で送信されるハンドオーバメッセージは、その優先度を示すと共に、EUTRA及びHRPDプロトコルスタックの間の内部インジケータの役目をする緊急インジケータを含んでもよい。
【００３５】
ハンドオーバコマンドに基づいて、移動局は、ハンドオーバコマンドに含まれるハンドオーバ情報に基づいてターゲット無線アクセスネットワーク102への接続を開始する（312）。ターゲット無線アクセスネットワーク102へのハンドオーバが緊急呼をかけるためのものであることを移動局104は認識しているため、移動局104は、緊急呼の指示を備えた１つ以上のメッセージを送信する（314）。前述のように、ハンドオーバを実行するために移動局104からターゲット無線アクセスネットワーク102に送信されるこのようなメッセージは、ソース無線アクセスネットワーク100を通じてターゲット無線アクセスネットワーク102にトンネリングされ得るルート更新（Route  Update）メッセージ及び接続要求（Connection  Request）メッセージを含んでもよい。次に、ターゲット無線アクセスネットワーク102を通じて緊急呼をかけるために、緊急呼を確立する手順（例えば、HRPD手順）が使用される（316）。
【００３６】
図２及び３は、移動局104がターゲット無線アクセスネットワーク102との事前登録を実行していることを仮定する。しかし、或る場合には、事前登録は可能でない可能性があり、或いは、事前登録は可能であるが、移動局104が事前登録を完了していない。その結果、移動局104は、緊急呼について移動局104とターゲット無線アクセスネットワーク102との間の特定のセッションを予め確立していない。
【００３７】
しかし、この代替実施例によれば、所定の緊急呼のセッションが使用される。所定の緊急呼のセッションについての情報は、移動局102及びターゲット無線アクセスネットワーク104に格納される。所定の緊急呼のセッションは、緊急呼がハンドオフ後にターゲット無線アクセスネットワーク102と迅速に再確立され得るように、ハンドオフ後に緊急呼のコンテキスト（context）を確立する。更に他の代替実施例では、所定の緊急呼のセッションは必要ない。
【００３８】
図４に示すように、移動局104は初めにソース無線アクセスネットワーク100に属するが（402）、ターゲット無線アクセスネットワーク1022との事前登録は行われない。図２の例と同様に、移動局104は、ソース無線アクセスネットワーク100を通じたアクティブなパケット交換の緊急呼中である（404）。
【００３９】
図４の例では、移動局104は、信号測定（例えば、パイロット測定）をソース無線アクセスネットワーク100に送信する（406）。ソース無線アクセスネットワーク100は、測定に基づいてハンドオーバ判定を行ってもよい（408）。ハンドオーバ判定を行ったことに応じて、ソース無線アクセスネットワーク100は、ハンドオーバコマンドを移動局104に送信する（410）。
【００４０】
代替実施例では、移動局104は、ターゲット無線アクセスネットワークへのハンドオーバを自律的に実行するように構成される。換言すると、移動局104は、ソース無線アクセスネットワーク100とのハンドオーバ手順を最初に実行せずに、ソース無線アクセスネットワーク100からターゲット無線アクセスネットワーク102への切り替えを実行してもよい。移動局104により実行される自律的なハンドオーバは、（それぞれのソース及びターゲット無線アクセスネットワーク100及び102の基地局との信号の）信号測定に基づいてもよい。しかし、移動局104がハンドオーバを自律的に実行できるとしても、移動局104は、依然として、移動局104が異なるシステムに切り替えていることを示す何らかの種類の指示をソース無線アクセスネットワーク100に送信してもよい。
【００４１】
更に図４に示すように、移動局104は、（410で受信したハンドオーバコマンドの）ソース無線アクセスネットワーク100からのハンドオーバ情報に基づいて、又は移動局104の自律的なハンドオーバに基づいて、ターゲット無線アクセスネットワーク102への接続を開始する（412）。
【００４２】
移動局104は、414で送信される１つ以上の要求メッセージに緊急の指示を含めて、ターゲット無線アクセスネットワーク102との接続を要求する（414）。次に、パケット交換の緊急呼は、所定の緊急のセッションの緊急プロファイルを用いて、ターゲット無線アクセスネットワーク102と再確立される。この緊急プロファイルは、アクセスネットワーク102と移動局104との双方に知られている。所定の緊急呼のセッションにより、ハンドオーバ後にターゲット無線アクセスネットワーク102での緊急呼の迅速な確立が可能になる。この理由は、移動局104とターゲット無線アクセスネットワーク102との間のコンテキストネゴシエーション（登録を含む）が実行される必要がないよう、緊急のコンテキストが既に確立されているからである。
【００４３】
図５に示す別のシナリオでは、図４に示すように緊急呼においてアクティブである代わりに、移動局104は、ソース無線アクセスネットワーク102に属するときにアイドルモードでもよく（図３のシナリオと類似する）、移動局はターゲット無線アクセスネットワーク102（図５の502）に事前登録されていない。この場合、図４の手順は、パケット交換の緊急呼をかけることを要求するために（504）、アイドルモードの移動局104からソース無線アクセスネットワーク100への他のメッセージ（図３のメッセージ304に類似する）を追加することにより変更される。この変更されたフローの残りの手順は図４の手順と同様である。
【００４４】
図６は、移動局（図１の104）と基地局及び／又はゲートウェイ（図１のエンティティ108、110、112及び116のいずれかを含んでもよい）との例示的な構成要素を示すブロック図である。移動局と基地局及び／又はゲートウェイとのそれぞれは、通信ノードと考えられる。移動局は、１つ以上のプロセッサ604で実行可能なソフトウェアでもよいハンドオーバロジック602を含む。１つ以上のプロセッサ604は、通信インタフェース606及び記憶媒体608に接続されている。通信インタフェース606は、移動局104が基地局と無線インタフェースで通信することを可能にする。
【００４５】
基地局／ゲートウェイは、通信インタフェース610を含む。通信インタフェース610は、１つ以上のプロセッサ612に接続され、次に、１つ以上のプロセッサ612は、記憶媒体614に接続される。基地局／ゲートウェイはまた、１つ以上のプロセッサ612で実行可能なハンドオーバロジック616を含む。
【００４６】
前述のソフトウェアの命令（ハンドオーバロジック602及び616）は、１つ以上のプロセッサ604又は612での実行のためにロードされる。各プロセッサは、マイクロプロセッサ、マイクロコントローラ、プロセッサモジュール若しくはサブシステム（１つ以上のマイクロプロセッサ又はマイクロコントローラを含む）、又は他の制御若しくは計算装置を含んでもよい。
【００４７】
データ及び（ソフトウェアの）命令は、各記憶媒体に格納される。記憶媒体は、１つ以上の有形のコンピュータ読取可能又はコンピュータ使用可能な記憶媒体として実装される。記憶媒体は、半導体メモリ装置（ダイナミック又はスタティックランダムアクセスメモリ（DRAM又はSRAM）、消去可能及びプログラム可能読取専用メモリ（EPROM）、電気消去可能及びプログラム可能読取専用メモリ（EEPROM）、フラッシュメモリ等）、磁気ディスク（固定、フロッピー及び取り外し可能ディスク等）、他の磁気媒体（テープを含む）、及び光学媒体（コンパクトディスク（CD）又はデジタルビデオディスク（DVD）等）を含み、異なる形式のメモリを含む。前述のソフトウェアの命令は、１つのコンピュータ読取可能又はコンピュータ使用可能な記憶媒体上に提供されてもよく、或いは、場合によっては複数のノードを有する大規模システムに分散された複数のコンピュータ読取可能又はコンピュータ使用可能な記憶媒体上に提供されてもよい点に留意すべきである。このようなコンピュータ読取可能又はコンピュータ使用可能な記憶媒体は、物（又は製造物）の一部であると考えられる。物又は製造物は、如何なる製造された単一の構成要素又は複数の構成要素を示してもよい。
【００４８】
前述の説明では、本発明の理解を提供するために複数の詳細が示されている。しかし、本発明はこれらの詳細なしに実施され得ることが、当業者により分かる。限られた数の実施例に関して本発明を説明したが、当業者は、複数の変更及び変形を認識する。特許請求の範囲は、本発明の真の要旨及び範囲内に入るこのような変更及び変形をカバーすることを意図する。
【図１】
0005616954.tif 000002
【図２】
0005616954.tif 000003
【図３】
0005616954.tif 000004
【図４】
0005616954.tif 000005
【図５】
0005616954.tif 000006
【図６】
0005616954.tif 000007